(57)【特許請求の範囲】
【請求項１】
化粧料が充填された浅皿状の中皿と、この中皿を収容する凹部が上面に設けられた容器本体と、この容器本体を蓋する蓋体と、上記容器本体の凹部内に収容された中皿の少なくとも上面を被覆する保護シートとを備えたコンパクト容器であって、
上記容器本体の凹部における内壁面の片側に、水平方向に延びる凸条が形成されているとともに、上記中皿の側壁外周面に、上記凸条が入り込む凹溝が形成され、上記凹溝と凸条との間に、上記保護シートの厚みより大きい隙間が設けられており、
上記保護シートは、一枚の可撓性シートからなり、上記容器本体の凹部内に収容された中皿の少なくとも上面を被覆するように水平に延びる保護面部と、上記保護面部の一端縁から折り目を介して垂直下向きに延設される延設部とで構成されており、上記延設部に、上記凸条を挿通させる帯状スリットが形成されており、
上記帯状スリットの水平方向における長さ寸法Ｈの、延設部全体の水平方向における長さ寸法Ｌに対する割合（Ｈ／Ｌ）が、０．４〜０．８に設定されており、
上記容器本体の凹部における内壁面と、この凹部内に収容される中皿の側壁外周面との間に、上記保護シートの延設部が、その帯状スリットに上記凸条を挿通させた状態で挟み込まれ、上記保護シートの保護面部が、上記延設部の上端部である折り目を回転軸として、回動自在に取り付けられていることを特徴とする保護シート付コンパクト容器。
【請求項２】
化粧料が充填された浅皿状の中皿と、この中皿を収容する凹部が上面に設けられた容器本体と、この容器本体を蓋する蓋体と、上記容器本体の凹部内に収容された中皿の少なくとも上面を被覆する保護シートとを備えたコンパクト容器であって、
上記中皿の側壁外周面の片側に、水平方向に延びる凸条が形成されているとともに、上記容器本体の凹部における内壁面に、上記凸条が入り込む凹溝が形成され、上記凹溝と凸条との間に、上記保護シートの厚みより大きい隙間が設けられており、
上記保護シートは、一枚の可撓性シートからなり、上記容器本体の凹部内に収容された中皿の少なくとも上面を被覆するように水平に延びる保護面部と、上記保護面部の一端縁から折り目を介して垂直下向きに延設される延設部とで構成されており、上記延設部に、上記凸条を挿通させる帯状スリットが形成されており、
上記帯状スリットの水平方向における長さ寸法Ｈの、延設部全体の水平方向における長さ寸法Ｌに対する割合（Ｈ／Ｌ）が、０．４〜０．８に設定されており、
上記容器本体の凹部における内壁面と、この凹部内に収容される中皿の側壁外周面との間に、上記保護シートの延設部が、その帯状スリットに上記凸条を挿通させた状態で挟み込まれ、上記保護シートの保護面部が、上記延設部の上端部である折り目を回転軸として、回動自在に取り付けられていることを特徴とする保護シート付コンパクト容器。
【請求項３】
上記凸条の上面が、垂直方向に対し１０〜３０°のテーパ面になっている請求項１または２記載の保護シート付コンパクト容器。
【発明の詳細な説明】
【技術分野】
【０００１】
本発明は、化粧料の表面を被覆する保護シートが設けられた保護シート付コンパクト容器に関するものである。
【背景技術】
【０００２】
従来、ファンデーションやアイカラー、リップカラー等のメイクアップ化粧料を収容する容器としては、化粧料が充填された浅皿状の中皿と、この中皿を収容する凹部が上面に設けられた容器本体と、この容器本体を蓋する蓋体を備えたコンパクト容器が汎用されている。
【０００３】
このようなコンパクト容器では、一般に、蓋体の内側面に鏡が貼着されているため、鏡の表面が化粧料で汚れないように、また化粧料自体に異物が混入して汚染されないように、容器本体内に収容された化粧料の表面には、透明プラスチック製の保護シートが載せられている。しかし、上記保護シートを載せておくだけでは、化粧をする際に、保護シートを容器本体の上面から取り外して机の上等に置かなければならず、化粧後に保護シートを戻し忘れたり、蓋体の開閉時に保護シートが脱落して紛失しやすいという問題がある。また、紛失しなくても、保護シートが容器内でずれて、鏡の表面や周囲が化粧料で汚れてしまうおそれもある。
【０００４】
そこで、最近は、例えば図６に示すように、保護シート５０の一端側を側面視コ字状に折り返し、その折り返し部５０ａを容器本体６０側に折り込んだものが多く出回っている（特許文献１を参照）。なお、図において、５１は蓋体、５２は鏡、５３は中皿６３を収容するための凹部、５４は化粧チップ等の塗布具を収容するための凹部である。また、図７に示すように、保護シート５０と敷き込み部６１とを２つの折り曲げ部６２で連結し、上記敷き込み部６１を完全に中皿６３の底に敷き込んだものも提案されている（特許文献２を参照）。なお、６４はパフを収容するための凹部である。
【先行技術文献】
【特許文献】
【０００５】
【特許文献１】特開２００５−２３０４５２号公報
【特許文献２】特許第４２１６６１９号公報
【発明の概要】
【発明が解決しようとする課題】
【０００６】
しかしながら、上記特許文献１、２に記載されたコンパクト容器を得るには、中皿６３より先に、保護シート５０の折り返し部５０ａや敷き込み部６１を容器本体６０の凹部５３内に配置し、保護シート５０の、上方に延びる部分（化粧料充填面を被覆するための部分）を側方に大きく開いた状態で中皿６３を収容しなければならず、その作業に手間を要するという問題がある。すなわち、容器本体６０の凹部５３内に配置された保護シート５０の折り返し部５０ａや敷き込み部６１がずれないように、中皿６３の底面でこれらを押さえながら嵌め込む動作と、保護シート５０の上方に延びる部分が元に戻って本容器本体６０の凹部５３を塞がないよう持ち上げておく動作とを同時に行う必要があるからである。
【０００７】
また、保護シート５０を容器本体６０の凹部５３内に粘着剤で固定することも行われているが、その場合も作業効率が悪く、保護シート５０の配置ずれが生じることもあり、改善策が求められている。そして、中皿６３を粘着剤で固定するタイプのコンパクト容器では、上記保護シート５０の折り返し部５０ａや敷き込み部６１があると、粘着剤の塗布位置を工夫しなければならないという問題もある。
【０００８】
そこで、容器本体の凹部内に中皿を収容した後に、保護シートを容器本体と中皿の間に挟み込むようにして簡単に固定することができるような構造の化粧料容器が強く望まれているが、そのようなものは、未だ実現されていない。
【０００９】
本発明は、このような事情に鑑みなされたもので、保護シートが、中皿の底まで入り込んでおらず、容器本体と中皿の間に挟み込むだけで簡単に得ることができ、しかも、使用時には、保護シートを大きく開いた姿勢を安定して保持することのできる、優れた保護シート付コンパクト容器の提供をその目的とする。
【課題を解決するための手段】
【００１０】
上記の目的を達成するため、本発明は、化粧料が充填された浅皿状の中皿と、この中皿を収容する凹部が上面に設けられた容器本体と、この容器本体を蓋する蓋体と、上記容器本体の凹部内に収容された中皿の少なくとも上面を被覆する保護シートとを備えたコンパクト容器であって、上記容器本体の凹部における内壁面の片側に、水平方向に延びる凸条が形成されているとともに、上記中皿の側壁外周面に、上記凸条が入り込む凹溝が形成され、上記凹溝と凸条との間に、上記保護シートの厚みより大きい隙間が設けられており、上記保護シートは、一枚の可撓性シートからなり、上記容器本体の凹部内に収容された中皿の少なくとも上面を被覆するように水平に延びる保護面部と、上記保護面部の一端縁から折り目を介して垂直下向きに延設される延設部とで構成されており、上記延設部に、上記凸条を挿通させる帯状スリットが形成されており、上記帯状スリットの水平方向における長さ寸法Ｈの、延設部全体の水平方向における長さ寸法Ｌに対する割合（Ｈ／Ｌ）が、０．４〜０．８に設定されており、上記容器本体の凹部における内壁面と、この凹部内に収容される中皿の側壁外周面との間に、上記保護シートの延設部が、その帯状スリットに上記凸条を挿通させた状態で挟み込まれ、上記保護シートの保護面部が、上記延設部の上端部である折り目を回転軸として、回動自在に取り付けられている保護シート付コンパクト容器を第１の要旨とする。
【００１１】
また、本発明は、化粧料が充填された浅皿状の中皿と、この中皿を収容する凹部が上面に設けられた容器本体と、この容器本体を蓋する蓋体と、上記容器本体の凹部内に収容された中皿の少なくとも上面を被覆する保護シートとを備えたコンパクト容器であって、
上記中皿の側壁外周面の片側に、水平方向に延びる凸条が形成されているとともに、上記容器本体の凹部における内壁面に、上記凸条が入り込む凹溝が形成され、上記凹溝と凸条との間に、上記保護シートの厚みより大きい隙間が設けられており、上記保護シートは、一枚の可撓性シートからなり、上記容器本体の凹部内に収容された中皿の少なくとも上面を被覆するように水平に延びる保護面部と、上記保護面部の一端縁から折り目を介して垂直下向きに延設される延設部とで構成されており、上記延設部に、上記凸条を挿通させる帯状スリットが形成されており、上記帯状スリットの水平方向における長さ寸法Ｈの、延設部全体の水平方向における長さ寸法Ｌに対する割合（Ｈ／Ｌ）が、０．４〜０．８に設定されており、上記容器本体の凹部における内壁面と、この凹部内に収容される中皿の側壁外周面との間に、上記保護シートの延設部が、その帯状スリットに上記凸条を挿通させた状態で挟み込まれ、上記保護シートの保護面部が、上記延設部の上端部である折り目を回転軸として、回動自在に取り付けられている保護シート付コンパクト容器を第２の要旨とする。
【００１３】
さらに、本発明は、それらのなかでも、特に、上記凸条の上面が、垂直方向に対し１０〜３０°のテーパ面になっている保護シート付コンパクト容器を第３の要旨とする。
【発明の効果】
【００１４】
すなわち、本発明の保護シート付コンパクト容器には、容器本体の凹部内壁面と、この中に収容される中皿の側壁外周面のうち、一方に水平方向に延びる凸条が設けられ、他方に上記凸条が入り込む凹溝が設けられており、この両者の係合部に、保護シートの厚みより大きい隙間が設けられている。そして、上記凸条が、保護シートの延設部の帯状スリットに挿通されるようになっている。
【００１５】
したがって、本発明の保護シート付コンパクト容器には、容器本体の凹部内に中皿を収容した後、上記保護シートの延設部を下向きに折り曲げて、この部分を、容器本体の凹部における内壁面と中皿の側壁外周面との間に差し込むだけで、延設部を、上記凸条と凹溝の間に入り込ませ、帯状スリット内に凸条を挿通させることができるのであり、簡単に、保護シートを取り付けることができる。
【００１６】
そして、取り付けられた保護シートは、その延設部の帯状スリットと凸条の係合によって抜け止めされており、ずれたり脱落したりするようなことがなく、長期にわたって、化粧料の表面を良好に保護することができる。
【００１７】
さらに、この化粧料容器を使用する場合には、上記保護シートの保護面部を側方に大きく開くと、その状態が安定して保持されるため、使い勝手がよいという利点を有する。
【００１８】
なお、上記凸条と凹溝との間に隙間があって、保護シートを簡単に差し込むことができるにもかかわらず、保護シートがずれたり脱落したりしないのは、保護シートの延設部が、凸条を挿通させる帯状スリットを有していることによるものである。これを、図２（ｂ）を用いて説明すると、保護シート（図において符号１０）の保護面部（同じく１０ａ）を上に引き上げると、垂直に折り返されていた部分が鈍角に拡げられるため、図において矢印で示すように延設部（同じく１０ｂ）が外側に反り、その反動で、帯状スリット（同じく１２）の開口より下の部分（図において斜線Ｐで示す部分）が、中皿側に押し付けられる形になる。これにより、凸条と凹溝との間に隙間があっても、保護シートが脱落しないのである。また、同様の理由から、保護シートの保護面部を側方に大きく開いた状態においても、この状態が安定して保持されるのである。
【００１９】
そして、本発明では、特に、上記保護シートの延設部に形成される帯状スリットの水平方向における長さ寸法Ｈの、延設部全体の水平方向における長さ寸法Ｌに対する割合（Ｈ／Ｌ）が、０．４〜０．８に設定されているため、とりわけ、上記延設部の反りによる抜け止め効果と、延設部の耐久性とのバランスに優れている。
【００２０】
また、本発明において、上記凸条の上面が、垂直方向に対し１０〜３０°のテーパ面になっているものは、容器本体の凹部内に中皿を収容した状態で、その両者の隙間に保護シートの延設部を差し込む際、その動作をよりスムーズに行うことができ、好適である。
【図面の簡単な説明】
【００２１】
【図１】本発明の一実施の形態を示す斜視図である。
【図２】（ａ）は上記実施の形態の、蓋体を省略して一部を切り欠いて示す平面図、（ｂ）は上記実施の形態に用いられる保護シートの斜視図である。
【図３】図１のＡ−Ａ′断面を拡大して部分的に示す説明図である。
【図４】上記実施の形態の組み立て方を説明する模式的な説明図である。
【図５】本発明の他の実施の形態の、蓋体と中皿を省略して示す平面図である。
【図６】従来の一例を示す説明図である。
【図７】従来の他の例を示す説明図である。
【発明を実施するための形態】
【００２２】
つぎに、本発明の実施の形態を図面にもとづいて詳しく説明する。ただし、本発明は、この実施の形態に限定されるものではない。
【００２３】
図１は本発明の保護シート付コンパクト容器の一実施の形態を示しており、図２（ａ）は、その平面図である。ただし、図２（ａ）において、その一部は断面で示されており、蓋体部分は省略されている。また、図３は、図１のＡ−Ａ′断面を拡大して部分的に示している。
【００２４】
すなわち、この保護シート付コンパクト容器は、容器本体１と、その後端部にヒンジ連結された蓋体２とを備えており、蓋体２の内側には、鏡８が貼着されている。なお、蓋体２は、その上面が一段低く凹んだ枠体２ａと、枠体２ａの上面に嵌合される装飾板２ｂとで構成されている。そして、上記容器本体１の上面のうち、奥側に設けられた中皿収容用凹部３内に、化粧料５が充填された浅皿状の中皿６（図４参照）が収容されており、手前側の化粧用具収容用凹部４内に、化粧ブラシ７が収容されている。
【００２５】
また、上記容器本体１に収容された中皿６の上面、すなわち中皿６に充填された化粧料５の表面は、化粧料５の飛散を防止するための保護シート１０によって被覆されている。
【００２６】
上記保護シート１０は、厚み０．２ｍｍの透明なポリエチレンテレフタレート（ＰＥＴ）製のシートを、図２（ｂ）に示すような形状に賦形して、その一部を容器本体１の中皿収容用凹部３と中皿６の間に差し込んで容易に脱落しないよう取り付けたものである。
【００２７】
より詳しく説明すると、上記保護シート１０は、水平に延びる略正方形状の保護面部１０ａと、この保護面部１０ａの一端縁から折り目１１を介して垂直下向きに延設される延設部１０ｂとで構成されている。上記保護面部１０ａは、図２（ａ）において粗い斜線Ｑで示すように、この容器本体１の中皿収容用凹部３内に収容された中皿６の上面を完全に被覆し、その手前の化粧用具収容用凹部４の開口も、その大部分を被覆している。そして、上記保護面部１０ａから延びる延設部１０ｂには、水平方向に延びる帯状スリット１２が形成されている。
【００２８】
一方、容器本体１の、中皿収容用凹部３は、平面視が横長の長方形であり、上下左右四辺の内壁面で囲われているが、図２（ａ）および図３に示すように、そのうちの、向かって左側の内壁面２０に、水平方向に延びる凸条２１が形成されている。
【００２９】
上記凸条２１の、中皿収容用凹部３の内壁面２０から突出する上面２１ａは、図３に示すように、垂直方向に対し角度θだけ傾斜するテーパ面になっており、同じくその突出する下面２１ｂは、傾斜のない水平面になっている。
【００３０】
また、中皿収容用凹部３内に収容される中皿６の側壁外周面のうち、上記中皿収容用凹部３の内壁面２０に対峙する面に、上記凸条２１が入り込む凹溝３０が形成されている。この凹溝３０の内壁面の上下面とも、図３に示すように、垂直方向に対しなだらかなテーパ面になっている。
【００３１】
そして、上記凹溝３０と、その内側に入り込んだ凸条２１との間には、保護シート１０の厚みよりも大きい隙間が形成されるよう設定されており（この例では、保護シート１０の厚みが０．２ｍｍであるのに対し隙間幅Ｘは０．５ｍｍ）、この凸条２１と凹溝３０との間に、上記保護シート１０が、その延設部１０ｂの帯状スリット１２に凸条２１を挿通させた状態で挟み込まれている。
【００３２】
この構成によれば、図４において模式的に示すように、まず、容器本体１の中皿収容用凹部３内に粘着剤層４０を設け、その上に中皿６を収容して固定した後、保護シート１０の延設部１０ｂを下向きに折り曲げて、この部分を、容器本体１の中皿収容用凹部３の内壁面２０と中皿６の側壁外周面との間に差し込むだけで、延設部１０ｂが、容器本体１側の凸条２１と中皿６側の凹溝３０（図では見えない）の間に入り込み、延設部１０ｂに設けられた帯状スリット１２内に凸条２１が自動的に挿通されるようになっており、簡単に、保護シート１０を取り付けることができる。
【００３３】
もちろん、場合によっては、中皿６を収容するよりも先に、容器本体１の中皿収容用凹部３内に保護シート１０を取り付け、その後、粘着剤層４０を設けて中皿６を収容するようにしてもよい。その場合も、中皿収容用凹部３内に設けられた凸条２１に、保護シート１０の延設部１０ｂに設けられた帯状スリット１２を係合し、保護面部１０ａを側方に大きく開いた状態にすれば、簡単に中皿６を収容することができる。
【００３４】
そして、取り付けられた保護シート１０は、その延設部１０ｂの帯状スリット１２と凸条２１との係合によって抜け止めされており、ずれたり脱落したりするようなことがなく、長期にわたって、中皿６の上面、すなわち中皿６に充填された化粧料５の表面を、良好に保護することができる。
【００３５】
さらに、この化粧料容器を使用する場合には、上記保護シート１０の保護面部１０ａを側方に大きく開くと、その状態が安定して保持されるため、保護面部１０ａが邪魔にならず、使い勝手がよいという利点を有する。
【００３６】
なお、中皿収容用凹部３側の凸条２１と中皿６側の凹溝３０との間に隙間があり、保護シート１０を簡単に差し込むことができるにもかかわらず、その差し込んだ保護シート１０がずれたり脱落したりしないのは、保護シート１０の延設部１０ｂが、凸条２１を挿通させる帯状スリット１２を有していることによるものである。
【００３７】
すなわち、図２（ｂ）に示すように、水平に延びる保護面部１０ａと、垂直下向きに折り目１１が付けられた延設部１０ｂとを備えた保護シート１０において、保護面部１０ａを上に引き上げると、垂直に折り返されていた部分の角度が鈍角に拡げられる。このため、図において矢印で示すように延設部１０ｂが外側に反り、その反動で、帯状スリット１２の開口より下の部分（斜線Ｐで示す部分）が、中皿６側に押し付けられる形になる。これにより、凸条２１と凹溝３０との間に隙間があっても、保護シート１０が脱落しないのである。また、同様に、保護シート１０の保護面部１０ａを側方に大きく開いた状態が安定して保持されるのである。
【００３８】
なお、本発明において、保護シート１０の材質としては、上記の例で用いたＰＥＴ以外に、ポリプロピレン（ＰＰ）、ポリエチレン（ＰＥ）等があげられる。そして、その厚みは、用いる材質にもよるが、延設部１０ｂの耐久性と帯状スリット１２から下の部分による抜け止め作用等を考慮すれば、例えば０．１〜０．５ｍｍ、なかでも、０．１５〜０．３ｍｍに設定することが好適である。すなわち、保護シート１０の厚みが薄すぎると、延設部１０ｂの耐久性が低下するとともに抜け止め作用が充分に発揮されなくなるおそれがある。逆に、保護シート１０の厚みが厚すぎると、保護シート１０の保護面部１０ａを側方に開いて化粧料５を露出させる動作がしにくくなるとともに、打ち抜き成形や折り込み賦形時の作業性が悪くなるおそれがあり、好ましくない。
【００３９】
また、上記保護シート１０は、必ずしも透明である必要はなく、模様を付したり着色したりすることができる。そして、保護シート１０の保護面部１０ａに、ブランド名の表示や中皿６に充填された化粧料５の使用方法等の説明表示を付与するようにしても差し支えない。
【００４０】
さらに、上記保護シート１０の延設部１０ｂにおいて、帯状スリット１２の水平方向における長さ寸法Ｈ［図２（ｂ）を参照］は、延設部１０ｂ全体の水平方向における長さ寸法Ｌに対する割合（Ｈ／Ｌ）が、０．４〜０．８になるよう設定することが必要である。すなわち、上記の範囲よりもＨの割合が小さいと、上記延設部１０ｂの反りによる抜け止め効果が充分に得られなくなるおそれがあり、逆に上記の範囲よりもＨの割合が大きいと、延設部１０ｂの、帯状スリット１２を挟む両側部分の幅が狭くなって、保護面部１０ａの開閉動作を繰り返すと、これらの部分に切れ目が入ったり切断したりするおそれがあるからである。
【００４１】
また、本発明において、容器本体１の中皿収容用凹部３内に設けられる凸条２１（図３参照）の上面２１ａは、必ずしも上記の例のようにテーパ面になっている必要はないが、垂直方向に対しなだらかなテーパ面になっている方が、保護シート１０の延設部１０ｂを、容器本体１の中皿収容用凹部３と中皿６との間に差し込んで挟み込みやすい。なかでも、テーパ面の垂直方向に対する角度θが、１０〜３０°になっていることが、差し込みやすさの点で好適である。なお、凸条２１の下面２１ｂは、上記の例のように水平面であることが、保護シート１０を確実に抜け止めするうえで望ましい。
【００４２】
一方、中皿６の側壁外周面に設けられる凹溝３０は、上記凸条２１が入り込み、かつその凸条２１との隙間が、保護シート１０の厚みより大きくなるよう設定されていれば、どのような断面形状であっても差し支えないが、少なくとも上面は、上記の例のようになだらかなテーパ面になっている方が、保護シート１０を差し込みやすく好適である。そのテーパ面の角度は、上記凸条２１の上面２１ａの角度θに応じて適宜に設定される。
【００４３】
そして、上記の例では、容器本体１の中皿収容用凹部３の平面視形状は横長の長方形であり［図２（ａ）を参照］、保護シート１０の保護面部１０ａを向かって左側に開く構造にしたが、保護面部１０ａを開く方向は、手前側であっても右側であってもよい。鏡８を設けない場合は、奥側に開くようにしてもよい。その場合は、保護面部１０ａの開く方向に応じた所定の位置に、保護シート１０の延設部１０ｂを係合させるための凸条２１と凹溝３０を形成すればよい。
【００４４】
また、容器本体１の中皿収容用凹部３の平面視形状は、必ずしも正方形や長方形のような矩形である必要はなく、多角形や略円形、略楕円形であってもよい。ただし、その内壁面のうち一個所は、保護シート１０の延設部１０ｂを差し込むために、上から見て直線になっていることが望ましい。延設部１０ｂを差し込む部分が上からみて曲線になっていると、保護面部１０ａを開閉する動作がスムーズに行われないおそれがあるからである。
【００４５】
ちなみに、本発明を、中皿収容用凹部３の平面視形状が略円形で、容器本体１の輪郭形状が円形に設定されたコンパクト容器に適用した例を、図５に示す（中皿６は省略）。この例では、平面視形状が略円形の中皿収容用凹部３において、その内壁面のうち向かって左側の一部が上からみて直線になるよう、その部分の壁面が垂直面になっている。そして、この垂直面に、上記の例と同様、水平方向に延びる凸条２１が設けられ、中皿の、上記凸条２１に対峙する側壁外周面に、上記の例と同様の凹溝が設けられている。そして、図示のような形状の保護シート１０を用いることによって、上記の例と同様の効果を得ることができる。
【００４６】
また、上記の例では、容器本体１の中皿収容用凹部３内に収容する中皿６を、粘着剤層４０によって固定した（図４参照）が、粘着剤層４０によらず、中皿収容用凹部３側に係合部を設け、中皿６側に被係合部を設けて、両者の係合によって中皿６を固定するようにしてもよい。この係合は、凸条２１と凹溝３０との係合のように隙間のある緩い係合ではなく、中皿６ができるだけ動かないよう隙間を最小限にすることが望ましい。そして、上記係合部、被係合部は、保護シート１０を差し込む部分以外の、中皿収容用凹部３の内壁面と、中皿６の側壁外周面のそれぞれに設けられる。
【００４７】
さらに、上記の例では、容器本体１の中皿収容用凹部３側に凸条２１を設け、中皿６側に凹溝３０を設けた（図３参照）が、これを逆にして、中皿６側に凸条２１を設け、中皿収容用凹部３側に凹溝３０を設けるようにしても差し支えない。この構成によっても、上記の例と同様、中皿収容用凹部３と中皿６との間に保護シート１０を簡単に差し込むことができ、上記の例と同様の効果を得ることができる。
【００４８】
また、上記の例では、図１に示すように、容器本体１の奥側に中皿収容用凹部３が設けられ、手前側に化粧用具収容用凹部４が設けられているが、両者の配置は、これに限定するものではなく、両者が左右に並んでいてもよい。もちろん、化粧用具収容用凹部４はなくてもよい。そして、中皿収容用凹部３には、直接もしくは複数の中皿を介して、複数の化粧料が並べて収容されていてもよい。
【００４９】
さらに、上記の例では、容器本体１と蓋体２とが、ヒンジ連結された構成になっているが、蓋体２は、容器本体１に対してスライド式で開閉するものであってもよいし、ねじ係合によって開閉するものであってもよい。
【産業上の利用可能性】
【００５０】
本発明は、簡単な構成で抜け止めされた保護シートを備え、使い勝手のよい保護シート付コンパクト容器に利用することができる。
【符号の説明】
【００５１】
１  容器本体
３  中皿収容用凹部
６  中皿
１０  保護シート
１０ａ  保護面部
１０ｂ  延設部
１２  帯状スリット
２０  内壁面
２１  凸条
３０  凹溝
【図１】
0006770304.tif 000002
【図２】
0006770304.tif 000003
【図３】
0006770304.tif 000004
【図４】
0006770304.tif 000005
【図５】
0006770304.tif 000006
【図６】
0006770304.tif 000007
【図７】
0006770304.tif 000008